(57)【要約】【課題】ベースバンドリソースに障害が発生しても通信断を避ける。【解決手段】無線基地局装置４内のベースバンドリソース部９に障害が発生した際、呼の種別により優先順位付けすることで、空きモデム９０に対して呼設定を行う。また、再設定しきれなかった呼を、障害呼管理テーブル８１に登録することで、空きモデムが発生次第、再設定を行う。また、障害呼管理テーブル１３に登録されている呼に対して、無線ネットワーク制御装置から制御が行われた際には、呼情報管理部８における呼情報の更新のみを行うことで、素早いレスポンスをする。【選択図】　　　図１
2004064220.tif 000002
【特許請求の範囲】
【請求項１】
セクタに位置するユーザの移動局と、前記移動局に複数の通信サービスを提供するため前記移動局と通信する無線基地局装置と、前記無線基地局装置を通信ネットワークに接続制御する無線ネットワーク制御装置とを有して構成される移動通信システムの呼管理制御方式であって、
前記無線ネットワーク制御装置は、通信ネットワークを介して、ユーザからの要求を受けて、呼接続と呼解放の制御のための呼制御指示を前記無線基地局装置に送る手段を有し、
前記無線基地局装置は、
複数の、優先順位の異なる通信サービスを前記移動局に提供するための呼信号を運ぶユーザチャネルと呼を制御するための制御信号を運ぶ制御チャネルとのうちのいずれかのチャネルが設定され、呼信号と制御信号との内のいずれかの信号を前記移動局間で送受信するモデムを、複数有するベースバンドリソース部と、
前記無線ネットワーク制御装置からの呼制御指示を受けて、前記ベースバンドリソース部の複数モデムの各々に、ユーザチャネルと制御チャネルとのうちのいずれかのチャネルを設定する呼処理制御手段と、
前記ベースバンドリソース部の複数モデムを監視し、モデムの障害を検知し、障害通知を送るとともに、モデムの復旧を検知し、復旧通知を送る保守監視手段と、
接続する呼に関する呼情報とモデム状態情報と各チャネルの優先順位とを記憶して管理する呼情報管理テーブルと障害が発生したモデムに設定されているユーザチャネルまたは制御チャネルで、他のモデムに設定されないチャネルを登録する障害呼管理テーブルとを有する呼情報管理手段と、を備え、
前記呼処理制御手段は、
前記呼情報管理テーブルを参照して、空きモデムがあるかを検索する空きモデム検索手段と、
前記空きモデム検索手段が、前記保守監視手段から障害通知を受けて、空きモデムを検索し、空きモデムがないとき、障害が発生したモデムに設定されているユーザチャネルまたは制御チャネルを前記障害呼管理テーブルに登録する手段と、前記空きモデム検索手段が、空きモデムがあるかを常に検索し、空きモデムがあるとき、前記障害呼管理テーブルに登録されているユーザチャネルまたは制御チャネルを、優先順位に基づいて、空きモデムに再設定する手段とを有することを特徴とする移動通信システムの呼管理制御方式。
【請求項２】
前記呼処理制御手段は、さらに、
前記空きモデム検索手段が、前記保守監視手段から障害通知を受けて、空きモデムを検索し、空きモデムはあるが、空きモデムの数が、障害が発生した複数モデムに設定されているユーザチャネルあるいは制御チャネルを設定するのに必要なモデムの数より少ないとき、障害が発生したモデムに設定されているユーザチャネルあるいは制御チャネルを、優先順位に基づいて、空きモデムに再設定し、空きモデムに再設定されない残りのチャネルを前記障害呼管理テーブルに登録する手段を有することを特徴とする請求項１記載の移動通信システムの呼管理制御方式。
【請求項３】
前記呼処理制御手段は、さらに、
前記空きモデム検索手段が、前記保守監視手段から障害通知を受けて、空きモデムを検索し、空きモデムはあるが、空きモデムの数が、障害が発生した複数モデムに設定されているユーザチャネルと制御チャネルとの全チャネルを設定するに必要なモデムの数より少ないとき、障害が発生した複数モデムに設定されているユーザチャネルと制御チャネルとの全チャネルの内の、制御チャネルを優先して空きモデムに再設定し、空きモデムに再設定されない残りのチャネルを前記障害呼管理テーブルに登録する手段を有することを特徴とする請求項１記載の移動通信システムの呼管理制御方式。
【請求項４】
前記呼処理制御手段は、さらに、
前記保守監視手段から障害通知を受けて、前記呼情報管理テーブルを参照して、障害のモデムに設定されているチャネルを認識する設定チャネル認識手段と、
前記設定チャネル認識手段が、障害のモデムに設定されているチャネルが制御チャネルであることを認識し、そして、前記空きモデム検索手段が、空きモデムを検索し、空きモデムがないとき、ユーザチャネルが既に設定されているモデムを選び、選ばれたモデムに既に設定されているユーザチャネルを前記障害呼管理テーブルに登録し、選ばれたモデムを空き状態にして空きモデムを生成し、この空きモデムに制御チャネルを再設定する手段とを有することを特徴とする請求項１記載の移動通信システムの呼管理制御方式。
【請求項５】
前記呼処理制御手段は、さらに、
前記設定チャネル認識手段が、障害のモデムに設定されているチャネルが制御チャネルであることと、当該制御チャネルが属するセクタとを認識するとき、そして、前記空きモデム検索手段が、空きモデムを検索し、空きモデムがないとき、当該制御チャネルが属するセクタと同一セクタのユーザチャネルが既に設定されているモデムを選び、選ばれたモデムに既に設定されているユーザチャネルを前記障害呼管理テーブルに登録し、選ばれたモデムを空き状態にして空きモデムを生成し、この空きモデムに当該制御チャネルを再設定する手段を有することを特徴とする請求項１と４のうちのいずれか１項記載の移動通信システムの呼管理制御方式。
【請求項６】
前記呼処理制御手段は、さらに、
前記設定チャネル認識手段が、障害のモデムに設定されているチャネルがユーザチャネルであることと、当該ユーザチャネルの優先順位とを認識するとき、そして、前記空きモデム検索手段が、空きモデムを検索し、空きモデムがないとき、当該ユーザチャネルの優先順位より低い優先順位のユーザチャネルが既に設定されているモデムを選び、選ばれたモデムに既に設定されている低い優先順位のユーザチャネルを前記障害呼管理テーブルに登録し、選ばれたモデムを空き状態にして、空きモデムを生成し、この空きモデムに当該ユーザチャネルを再設定する手段を有することを特徴とする請求項１と４のうちのいずれか１項記載の移動通信システムの呼管理制御方式。
【請求項７】
前記呼処理制御手段は、さらに、
前記保守監視手段から復旧通知を受けて、前記設定チャネル認識手段が、障害のモデムに設定されているチャネルとその優先順位を認識し、当該チャネルを当該優先順位により復旧したモデムに再設定する手段を有することを特徴とする請求項１と４のうちのいずれか１項記載の移動通信システムの呼管理制御方式。
【請求項８】
前記呼処理制御手段は、さらに、
前記無線ネットワーク制御装置から、前記障害呼管理テーブルに登録されているチャネルに関連する呼に対しての呼制御指示を受けると、前記ベースバンドリソース部との確認応答を実行しないで、直ちに、当該呼に対しての呼制御を実行し、前記呼情報管理手段の呼情報管理テーブルを更新し、呼制御指示に対する応答を前記無線ネットワーク制御装置に返送する手段を有することを特徴とする請求項１記載の移動通信システムの呼管理制御方式。
【請求項９】
前記呼処理制御手段は、さらに、
前記無線ネットワーク制御装置から、前記障害呼管理テーブルに登録されているチャネルに関連する呼に対しての呼解放指示を受けると、前記ベースバンドリソース部との確認応答を実行しないで、直ちに、前記呼情報管理手段の呼情報管理テーブルから、当該呼に関する呼情報を削除し、呼解放指示に対する応答を前記無線ネットワーク制御装置に返送する手段を有することを特徴とする請求項１記載の移動通信システムの呼管理制御方式。
【請求項１０】
セクタに位置する複数移動局と、複数モデムを有するベースバンドリソース部を使用して前記複数移動局に複数の通信サービスを提供する無線基地局装置と、前記無線基地局装置を通信ネットワークに接続制御する無線ネットワーク制御装置とを有して構成される移動通信システムの呼管理制御方法であって、
前記無線ネットワーク制御装置から、呼接続のための呼制御指示を前記無線基地局装置に送るステップと、
前記無線ネットワーク制御装置からの呼制御指示を受けて、前記ベースバンドリソース部の複数モデムの各々に、ユーザチャネルと制御チャネルとのうちのいずれかのチャネルを設定するステップと、
前記ベースバンドリソース部の複数モデムを監視し、モデムの障害を検知し、障害通知を送るとともに、モデムの復旧を検知し、復旧通知を送る保守監視ステップと、
接続する呼に関する呼情報とモデム状態情報と各チャネルの優先順位とを記憶して管理する呼情報管理ステップと、
前記保守監視ステップによる障害通知を受けて、呼情報管理ステップにより管理されている呼情報とモデム状態情報を参照して、空きモデムがあるかを検索する空きモデム検索ステップと、
前記空きモデム検索ステップによる検索の結果、空きモデムはあるが、その空きモデムの数が、障害を発生した複数モデムに設定されているユーザチャネルあるいは制御チャネルを設定するのに必要なモデムの数より少ないとき、障害を発生した複数モデムに設定されているユーザチャネルあるいは制御チャネルを、優先順位に基づいて、空きモデムに再設定し、空きモデムに再設定されない残りのチャネルを障害呼管理テーブルに登録するステップと、
前記空きモデム検索ステップにより、新たな空きモデムが検索されるとき、障害呼管理テーブルに登録されているチャネルを、優先順位に基づいて、新たな空きモデムに再設定するステップと、
前記保守監視ステップによる復旧通知を受けて、障害呼管理テーブルに登録されているチャネルを、優先順位に基づいて、復旧したモデムに再設定するステップと、
前記無線ネットワーク制御装置から、障害呼管理テーブルに登録されているチャネルに関連する呼に対しての呼解放のための呼制御指示を受けて、前記ベースバンドリソース部との確認応答を実行しないで、直ちに、前記呼情報管理ステップにより管理されている呼情報とモデム状態情報を更新し、呼制御指示に対する応答を前記無線ネットワーク制御装置に返送するステップと、
を有することを特徴とする移動通信システムの呼管理制御方法。
【請求項１１】
セクタに位置する複数移動局と、複数モデムを有するベースバンドリソース部を使用して前記複数移動局に複数の通信サービスを提供する無線基地局装置と、前記無線基地局装置を通信ネットワークに接続制御する無線ネットワーク制御装置とを有して構成される移動通信システムの呼管理制御方法であって、
前記無線ネットワーク制御装置から、呼接続のための呼制御指示を前記無線基地局装置に送るステップと、
前記無線ネットワーク制御装置からの呼制御指示を受けて、前記ベースバンドリソース部の複数モデムの各々に、ユーザチャネルと制御チャネルとのうちのいずれかのチャネルを設定するステップと、
前記ベースバンドリソース部の複数モデムを監視し、モデムの障害を検知し、障害通知を送るとともに、モデムの復旧を検知し、復旧通知を送る保守監視ステップと、
接続する呼に関する呼情報とモデム状態情報と各チャネルの優先順位とを記憶して管理する呼情報管理ステップと、
前記保守監視ステップによる障害通知を受けて、呼情報管理ステップにより管理されている呼情報とモデム状態情報を参照して、空きモデムがあるかを検索する空きモデム検索ステップと、
前記保守監視ステップによる障害通知を受けて、呼情報管理ステップにより管理されている呼情報とモデム状態情報を参照して、障害のモデムに設定されているチャネルを認識する設定チャネル認識ステップと、
前記設定チャネル認識ステップにより、障害のモデムに設定されているチャネルは制御チャネルであることが認識されるとき、そして、前記空きモデム検索ステップにより、空きモデムが検索されないとき、ユーザチャネルが既に設定されているモデムを選び、この選ばれたモデムに既に設定されているユーザチャネルを、障害呼管理テーブルに登録し、選ばれたモデムを空き状態にして空きモデムを生成し、この空きモデムに当該制御チャネルを再設定するステップと、
前記設定チャネルステップにより、障害のモデムに設定されているチャネルはユーザチャネルであることが認識され、そして、前記空きモデム検索ステップにより、空きモデムが検索されないとき、当該ユーザチャネルの優先順位より低い優先順位のユーザチャネルが既に設定されているモデムを選び、選ばれたモデムに既に設定されている低い優先順位のユーザチャネルを、障害呼管理テーブルに登録し、選ばれたモデムを空き状態にして空きモデムを生成し、この空きモデムに当該ユーザチャネルを再設定するステップと、
前記保守監視ステップによる復旧通知を受けて、障害呼管理テーブルに登録されているチャネルを、優先順位に基づいて、復旧したモデムに再設定するステップと、
前記無線ネットワーク制御装置から、障害呼管理テーブルに登録されているチャネルに関連する呼に対しての呼解放のための呼制御指示を受けて、前記ベースバンドリソース部との確認応答を実行しないで、直ちに、前記呼情報管理ステップにより管理されている呼情報とモデム状態情報を更新し、呼制御指示に対する応答を前記無線ネットワーク制御装置に返送するステップと、
を有することを特徴とする移動通信システムの呼管理制御方法。
【請求項１２】
セクタに位置する複数移動局と、複数モデムを有するベースバンドリソース部を使用して前記複数移動局に複数の通信サービスを提供する無線基地局装置と、前記無線基地局装置を通信ネットワークに接続制御する無線ネットワーク制御装置とを有して構成される移動通信システムの呼管理制御する呼管理制御プログラムであって、
前記無線ネットワーク制御装置からの呼制御指示を受けて、前記ベースバンドリソース部の複数モデムの各々に、ユーザチャネルと制御チャネルとのうちのいずれかのチャネルを設定する処理と、
前記ベースバンドリソース部の複数モデムを監視し、モデムの障害を検知し、障害通知を送るとともに、モデムの復旧を検知し、復旧通知を送る保守監視処理と、
接続する呼に関する呼情報とモデム状態情報と各チャネルの優先順位とを記憶して管理する呼情報管理処理と、
前記保守監視処理による障害通知を受けて、呼情報管理処理により管理されている呼情報とモデム状態情報を参照して、空きモデムがあるかを検索する空きモデム検索処理と、
前記空きモデム検索処理による検索の結果、空きモデムはあるが、その空きモデムの数が、障害を発生した複数モデムに設定されているユーザチャネルあるいは制御チャネルを設定するのに必要なモデムの数より少ないとき、障害を発生した複数モデムに設定されているユーザチャネルあるいは制御チャネルを、優先順位に基づいて、空きモデムに再設定し、空きモデムに再設定されない残りのチャネルを障害呼管理テーブルに登録する処理と、
前記空きモデム検索処理により、新たな空きモデムが検索されるとき、障害呼管理テーブルに登録されているチャネルを、優先順位に基づいて、新たな空きモデムに再設定する処理と、
前記保守監視処理による復旧通知を受けて、障害呼管理テーブルに登録されているチャネルを、優先順位に基づいて、復旧したモデムに再設定する処理と、
前記無線ネットワーク制御装置から、障害呼管理テーブルに登録されているチャネルに関連する呼に対しての呼解放のための呼制御指示を受けて、前記ベースバンドリソース部との確認応答を実行しないで、直ちに、前記呼情報管理処理により管理されている呼情報とモデム状態情報を更新し、呼制御指示に対する応答を前記無線ネットワーク制御装置に返送する処理と、
をコンピュータに実行させることを特徴とする移動通信システムの呼管理制御プログラム
【請求項１３】
セクタに位置する複数移動局と、複数モデムを有するベースバンドリソース部を使用して前記複数移動局に複数の通信サービスを提供する無線基地局装置と、前記無線基地局装置を通信ネットワークに接続制御する無線ネットワーク制御装置とを有して構成される移動通信システムの呼管理制御する呼管理制御プログラムであって、
前記無線ネットワーク制御装置からの呼制御指示を受けて、前記ベースバンドリソース部の複数モデムの各々に、ユーザチャネルと制御チャネルとのうちのいずれかのチャネルを設定する処理と、
前記ベースバンドリソース部の複数モデムを監視し、モデムの障害を検知し、障害通知を送るとともに、モデムの復旧を検知し、復旧通知を送る保守監視処理と、
接続する呼に関する呼情報とモデム状態情報と各チャネルの優先順位とを記憶して管理する呼情報管理処理と、
前記保守監視処理による障害通知を受けて、呼情報管理処理により管理されている呼情報とモデム状態情報を参照して、空きモデムがあるかを検索する空きモデム検索処理と、
前記保守監視処理による障害通知を受けて、呼情報管理処理により管理されている呼情報とモデム状態情報を参照して、障害のモデムに設定されているチャネルを認識する設定チャネル認識処理と、
前記設定チャネル認識処理により、障害のモデムに設定されているチャネルは制御チャネルであることが認識されるとき、そして、前記空きモデム検索処理により、空きモデムが検索されないとき、ユーザチャネルが既に設定されているモデムを選び、この選ばれたモデムに既に設定されているユーザチャネルを、障害呼管理テーブルに登録し、選ばれたモデムを空き状態にして空きモデムを生成し、この空きモデムに当該制御チャネルを再設定する処理と、
前記設定チャネル認識処理により、障害のモデムに設定されているチャネルはユーザチャネルであることが認識され、そして、前記空きモデム検索認識処理により、空きモデムが検索されないとき、当該ユーザチャネルの優先順位より低い優先順位のユーザチャネルが既に設定されているモデムを選び、選ばれたモデムに既に設定されている低い優先順位のユーザチャネルを、障害呼管理テーブルに登録し、選ばれたモデムを空き状態にして空きモデムを生成し、この空きモデムに当該ユーザチャネルを再設定する処理と、
前記保守監視認識処理による復旧通知を受けて、障害呼管理テーブルに登録されているチャネルを、優先順位に基づいて、復旧したモデムに再設定する処理と、前記無線ネットワーク制御装置から、障害呼管理テーブルに登録されているチャネルに関連する呼に対しての呼解放のための呼制御指示を受けて、前記ベースバンドリソース部との確認応答を実行しないで、直ちに、前記呼情報管理ステップにより管理されている呼情報とモデム状態情報を更新し、呼制御指示に対する応答を前記無線ネットワーク制御装置に返送する処理と、
をコンピュータに実行させることを特徴とする移動通信システムの呼管理制御プログラム。
【発明の詳細な説明】
【０００１】
【発明の属する技術分野】
本発明は、移動通信システムの、呼情報管理および呼制御に関するもので、特に、無線基地局装置内での、障害が発生時における呼管理および呼制御に関するものである。
【０００２】
【従来の技術】
従来、移動通信システムは、公衆回線網と通信し無線基地局装置を制御する無線ネットワーク制御装置と、無線無線ネットワーク制御装置からの制御により、移動局と通信する無線基地局装置とを有して構成される。
【０００３】
無線基地局装置は、公衆回線網を介して行われる無線ネットワーク制御装置からの呼設定により、ベースバンドリソース部にリソースを設定することで移動局との通信を行っている。
【０００４】
ベースバンドリソース部は、複数のカードを有し、カードの各々は、複数のモデムを有する。そして、ベースバンドリソース部は、呼を、呼のサービス種別に応じた数のモデムに設定して、移動局と通信をする。
【０００５】
無線基地局装置内に呼を設定するためには、その呼のための制御チャネルとユーザチャネルとを設定する必要がある。制御チャネルは、無線基地局装置がカバーするセルを複数のセクタに分割した際の、セクタ毎に設定が必要であり、セクタ内に存在する移動局が無線ネットワーク制御装置および無線基地局装置と通信する際に必須な制御信号を運ぶチャネルである。一方、ユーザチャネルは、音声通信とＩＳＤＮ通信とパケットデータ通信との、３種類の通信サービスのための呼信号を運ぶチャネルである。
【０００６】
【発明が解決しようとする課題】
呼が設定されているカードに障害が発生した場合、通信を継続するため、無線基地局装置の呼処理制御部は、空きモデムを探し、この空きモデムに、障害が発生したカードに設定されている呼を再設定している。
【０００７】
しかし、空きモデムがないとき、障害が発生したカードに設定されている呼はそのまま設定されているので、いずれ通信断が発生するという課題を有する。
【０００８】
障害が発生したカードに、制御チャネルが設定されている場合、制御チャネルを使用していたセクタ内の移動局が、全て通信断となるという課題を有する。
【０００９】
また、通信断が発生したとき、無線基地局装置は、無線ネットワーク制御装置からの指示により、当該呼を解放する。このとき、無線基地局装置の呼処理制御部は、呼が割り当てられているカードと複数回の確認応答を行う確認型シーケンスにより、呼の解放処理を行っている。したがって、無線ネットワーク制御装置に対するレスポンスが遅くなり、迅速に解放処理が出来ないという課題を有する。
【００１０】
本発明の目的は、従来のこの様な課題を解決し、ベースバンドリソースに障害が発生しても通信断を避けるとともに、障害に対して迅速にレスポンスする技術を提供することにある。
【００１１】
【課題を解決するための手段】
本発明の移動通信システムの呼管理制御方式は、セクタに位置するユーザの移動局と、前記移動局に複数の通信サービスを提供するため前記移動局と通信する無線基地局装置と、前記無線基地局装置を通信ネットワークに接続制御する無線ネットワーク制御装置とを有して構成される移動通信システムの呼管理制御方式であって、
前記無線ネットワーク制御装置は、通信ネットワークを介して、ユーザからの要求を受けて、呼接続と呼解放の制御のための呼制御指示を前記無線基地局装置に送る手段を有し、
前記無線基地局装置は、
複数の、優先順位の異なる通信サービスを前記移動局に提供するための呼信号を運ぶユーザチャネルと呼を制御するための制御信号を運ぶ制御チャネルとのうちのいずれかのチャネルが設定され、呼信号と制御信号との内のいずれかの信号を前記移動局間で送受信するモデムを、複数有するベースバンドリソース部と、
前記無線ネットワーク制御装置からの呼制御指示を受けて、前記ベースバンドリソース部の複数モデムの各々に、ユーザチャネルと制御チャネルとのうちのいずれかのチャネルを設定する呼処理制御手段と、
前記ベースバンドリソース部の複数モデムを監視し、モデムの障害を検知し、障害通知を送るとともに、モデムの復旧を検知し、復旧通知を送る保守監視手段と、
接続する呼に関する呼情報とモデム状態情報と各チャネルの優先順位とを記憶して管理する呼情報管理テーブルと障害が発生したモデムに設定されているユーザチャネルまたは制御チャネルで、他のモデムに設定されないチャネルを登録する障害呼管理テーブルとを有する呼情報管理手段と、を備え、
前記呼処理制御手段は、
前記呼情報管理テーブルを参照して、空きモデムがあるかを検索する空きモデム検索手段と、
前記空きモデム検索手段が、前記保守監視手段から障害通知を受けて、空きモデムを検索し、空きモデムがないとき、障害が発生したモデムに設定されているユーザチャネルまたは制御チャネルを前記障害呼管理テーブルに登録する手段と、前記空きモデム検索手段が、空きモデムがあるかを常に検索し、空きモデムがあるとき、前記障害呼管理テーブルに登録されているユーザチャネルまたは制御チャネルを、優先順位に基づいて、空きモデムに再設定する手段とを有することを特徴とする。
【００１２】
また、本発明の移動通信システムの呼管理制御方式は、
前記呼処理制御手段が、さらに、
前記空きモデム検索手段が前記保守監視手段から障害通知を受けて空きモデムを検索し、空きモデムはあるが、空きモデムの数が、障害が発生した複数モデムに設定されているユーザチャネルあるいは制御チャネルを設定するのに必要なモデムの数より少ないとき、障害が発生したモデムに設定されているユーザチャネルあるいは制御チャネルを、優先順位に基づいて、空きモデムに再設定し、空きモデムに再設定されない残りのチャネルを前記障害呼管理テーブルに登録する手段を有することを特徴とする。
【００１３】
さらに、本発明の移動通信システムの呼管理制御方式は、
前記呼処理制御手段が、さらに、
前記空きモデム検索手段が前記保守監視手段から障害通知を受けて空きモデムを検索し、空きモデムはあるが、空きモデムの数が、障害が発生した複数モデムに設定されているユーザチャネルと制御チャネルとの全チャネルを設定するに必要なモデムの数より少ないとき、障害が発生した複数モデムに設定されているユーザチャネルと制御チャネルとの全チャネルの内の、制御チャネルを優先して空きモデムに再設定し、空きモデムに再設定されない残りのチャネルを前記障害呼管理テーブルに登録する手段を有することを特徴とする。
【００１４】
また、本発明の移動通信システムの呼管理制御方式は、
前記呼処理制御手段が、さらに、
前記保守監視手段から障害通知を受けて、前記呼情報管理テーブルを参照して、障害のモデムに設定されているチャネルを認識する設定チャネル認識手段と、
前記設定チャネル認識手段が、障害のモデムに設定されているチャネルが制御チャネルであることを認識し、そして、前記空きモデム検索手段が、空きモデムを検索し、空きモデムがないとき、ユーザチャネルが既に設定されているモデムを選び、選ばれたモデムに既に設定されているユーザチャネルを前記障害呼管理テーブルに登録し、選ばれたモデムを空き状態にして空きモデムを生成し、この空きモデムに制御チャネルを再設定する手段とを有することを特徴とする。
【００１５】
さらに、本発明の移動通信システムの呼管理制御方式は、
前記呼処理制御手段が、さらに、
前記設定チャネル認識手段が障害のモデムに設定されているチャネルが制御チャネルであることと、当該制御チャネルが属するセクタとを認識するとき、そして、前記空きモデム検索手段が、空きモデムを検索し、空きモデムがないとき、当該制御チャネルが属するセクタと同一セクタのユーザチャネルが既に設定されているモデムを選び、選ばれたモデムに既に設定されているユーザチャネルを前記障害呼管理テーブルに登録し、選ばれたモデムを空き状態にして空きモデムを生成し、この空きモデムに当該制御チャネルを再設定する手段を有することを特徴とする。
【００１６】
また、本発明の移動通信システムの呼管理制御方式は、
前記呼処理制御手段が、さらに、
前記設定チャネル認識手段が障害のモデムに設定されているチャネルがユーザチャネルであることと、当該ユーザチャネルの優先順位とを認識するとき、そして、前記空きモデム検索手段が、空きモデムを検索し、空きモデムがないとき、当該ユーザチャネルの優先順位より低い優先順位のユーザチャネルが既に設定されているモデムを選び、選ばれたモデムに既に設定されている低い優先順位のユーザチャネルを前記障害呼管理テーブルに登録し、選ばれたモデムを空き状態にして、空きモデムを生成し、この空きモデムに当該ユーザチャネルを再設定する手段を有することを特徴とする。
【００１７】
さらに、本発明の移動通信システムの呼管理制御方式は、
前記呼処理制御手段が、さらに、
前記保守監視手段から復旧通知を受けて、前記設定チャネル認識手段が、障害のモデムに設定されているチャネルとその優先順位を認識し、当該チャネルを当該優先順位により復旧したモデムに再設定する手段を有することを特徴とする。
【００１８】
また、本発明の移動通信システムの呼管理制御方式は、
前記呼処理制御手段が、さらに、
前記無線ネットワーク制御装置から、前記障害呼管理テーブルに登録されているチャネルに関連する呼に対しての呼制御指示を受けると、前記ベースバンドリソース部との確認応答を実行しないで、直ちに、当該呼に対しての呼制御を実行し、前記呼情報管理手段の呼情報管理テーブルを更新し、呼制御指示に対する応答を前記無線ネットワーク制御装置に返送する手段を有することを特徴とする。
【００１９】
さらに、本発明の移動通信システムの呼管理制御方式は、
前記呼処理制御手段が、さらに、
前記無線ネットワーク制御装置から、前記障害呼管理テーブルに登録されているチャネルに関連する呼に対しての呼解放指示を受けると、前記ベースバンドリソース部との確認応答を実行しないで、直ちに、前記呼情報管理手段の呼情報管理テーブルから、当該呼に関する呼情報を削除し、呼解放指示に対する応答を前記無線ネットワーク制御装置に返送する手段を有することを特徴とする。
【００２０】
また、本発明の移動通信システムの呼管理制御方法は、
セクタに位置する複数移動局と、複数モデムを有するベースバンドリソース部を使用して前記複数移動局に複数の通信サービスを提供する無線基地局装置と、前記無線基地局装置を通信ネットワークに接続制御する無線ネットワーク制御装置とを有して構成される移動通信システムの呼管理制御方法であって、
前記無線ネットワーク制御装置から、呼接続のための呼制御指示を前記無線基地局装置に送るステップと、
前記無線ネットワーク制御装置からの呼制御指示を受けて、前記ベースバンドリソース部の複数モデムの各々に、ユーザチャネルと制御チャネルとのうちのいずれかのチャネルを設定するステップと、
前記ベースバンドリソース部の複数モデムを監視し、モデムの障害を検知し、障害通知を送るとともに、モデムの復旧を検知し、復旧通知を送る保守監視ステップと、
接続する呼に関する呼情報とモデム状態情報と各チャネルの優先順位とを記憶して管理する呼情報管理ステップと、
前記保守監視ステップによる障害通知を受けて、呼情報管理ステップにより管理されている呼情報とモデム状態情報を参照して、空きモデムがあるかを検索する空きモデム検索ステップと、
前記空きモデム検索ステップによる検索の結果、空きモデムはあるが、その空きモデムの数が、障害を発生した複数モデムに設定されているユーザチャネルあるいは制御チャネルを設定するのに必要なモデムの数より少ないとき、障害を発生した複数モデムに設定されているユーザチャネルあるいは制御チャネルを、優先順位に基づいて、空きモデムに再設定し、空きモデムに再設定されない残りのチャネルを障害呼管理テーブルに登録するステップと、
前記空きモデム検索ステップにより、新たな空きモデムが検索されるとき、障害呼管理テーブルに登録されているチャネルを、優先順位に基づいて、新たな空きモデムに再設定するステップと、
前記保守監視ステップによる復旧通知を受けて、障害呼管理テーブルに登録されているチャネルを、優先順位に基づいて、復旧したモデムに再設定するステップと、
前記無線ネットワーク制御装置から、障害呼管理テーブルに登録されているチャネルに関連する呼に対しての呼解放のための呼制御指示を受けて、前記ベースバンドリソース部との確認応答を実行しないで、直ちに、前記呼情報管理ステップにより管理されている呼情報とモデム状態情報を更新し、呼制御指示に対する応答を前記無線ネットワーク制御装置に返送するステップと、
を有することを特徴とする。
【００２１】
さらに、本発明の移動通信システムの呼管理制御方法は、
セクタに位置する複数移動局と、複数モデムを有するベースバンドリソース部を使用して前記複数移動局に複数の通信サービスを提供する無線基地局装置と、前記無線基地局装置を通信ネットワークに接続制御する無線ネットワーク制御装置とを有して構成される移動通信システムの呼管理制御方法であって、
前記無線ネットワーク制御装置から、呼接続のための呼制御指示を前記無線基地局装置に送るステップと、
前記無線ネットワーク制御装置からの呼制御指示を受けて、前記ベースバンドリソース部の複数モデムの各々に、ユーザチャネルと制御チャネルとのうちのいずれかのチャネルを設定するステップと、
前記ベースバンドリソース部の複数モデムを監視し、モデムの障害を検知し、障害通知を送るとともに、モデムの復旧を検知し、復旧通知を送る保守監視ステップと、
接続する呼に関する呼情報とモデム状態情報と各チャネルの優先順位とを記憶して管理する呼情報管理ステップと、
前記保守監視ステップによる障害通知を受けて、呼情報管理ステップにより管理されている呼情報とモデム状態情報を参照して、空きモデムがあるかを検索する空きモデム検索ステップと、
前記保守監視ステップによる障害通知を受けて、呼情報管理ステップにより管理されている呼情報とモデム状態情報を参照して、障害のモデムに設定されているチャネルを認識する設定チャネル認識ステップと、
前記設定チャネル認識ステップにより、障害のモデムに設定されているチャネルは制御チャネルであることが認識されるとき、そして、前記空きモデム検索ステップにより、空きモデムが検索されないとき、ユーザチャネルが既に設定されているモデムを選び、この選ばれたモデムに既に設定されているユーザチャネルを、障害呼管理テーブルに登録し、選ばれたモデムを空き状態にして空きモデムを生成し、この空きモデムに当該制御チャネルを再設定するステップと、
前記設定チャネルステップにより、障害のモデムに設定されているチャネルはユーザチャネルであることが認識され、そして、前記空きモデム検索ステップにより、空きモデムが検索されないとき、当該ユーザチャネルの優先順位より低い優先順位のユーザチャネルが既に設定されているモデムを選び、選ばれたモデムに既に設定されている低い優先順位のユーザチャネルを、障害呼管理テーブルに登録し、選ばれたモデムを空き状態にして空きモデムを生成し、この空きモデムに当該ユーザチャネルを再設定するステップと、
前記保守監視ステップによる復旧通知を受けて、障害呼管理テーブルに登録されているチャネルを、優先順位に基づいて、復旧したモデムに再設定するステップと、
前記無線ネットワーク制御装置から、障害呼管理テーブルに登録されているチャネルに関連する呼に対しての呼解放のための呼制御指示を受けて、前記ベースバンドリソース部との確認応答を実行しないで、直ちに、前記呼情報管理ステップにより管理されている呼情報とモデム状態情報を更新し、呼制御指示に対する応答を前記無線ネットワーク制御装置に返送するステップと、
を有することを特徴とする。
【００２２】
また、本発明の移動通信システムの呼管理制御プログラムは、
セクタに位置する複数移動局と、複数モデムを有するベースバンドリソース部を使用して前記複数移動局に複数の通信サービスを提供する無線基地局装置と、前記無線基地局装置を通信ネットワークに接続制御する無線ネットワーク制御装置とを有して構成される移動通信システムの呼管理制御する呼管理制御プログラムであって、
前記無線ネットワーク制御装置からの呼制御指示を受けて、前記ベースバンドリソース部の複数モデムの各々に、ユーザチャネルと制御チャネルとのうちのいずれかのチャネルを設定する処理と、
前記ベースバンドリソース部の複数モデムを監視し、モデムの障害を検知し、障害通知を送るとともに、モデムの復旧を検知し、復旧通知を送る保守監視処理と、
接続する呼に関する呼情報とモデム状態情報と各チャネルの優先順位とを記憶して管理する呼情報管理処理と、
前記保守監視処理による障害通知を受けて、呼情報管理処理により管理されている呼情報とモデム状態情報を参照して、空きモデムがあるかを検索する空きモデム検索処理と、
前記空きモデム検索処理による検索の結果、空きモデムはあるが、その空きモデムの数が、障害を発生した複数モデムに設定されているユーザチャネルあるいは制御チャネルを設定するのに必要なモデムの数より少ないとき、障害を発生した複数モデムに設定されているユーザチャネルあるいは制御チャネルを、優先順位に基づいて、空きモデムに再設定し、空きモデムに再設定されない残りのチャネルを障害呼管理テーブルに登録する処理と、
前記空きモデム検索処理により、新たな空きモデムが検索されるとき、障害呼管理テーブルに登録されているチャネルを、優先順位に基づいて、新たな空きモデムに再設定する処理と、
前記保守監視処理による復旧通知を受けて、障害呼管理テーブルに登録されているチャネルを、優先順位に基づいて、復旧したモデムに再設定する処理と、
前記無線ネットワーク制御装置から、障害呼管理テーブルに登録されているチャネルに関連する呼に対しての呼解放のための呼制御指示を受けて、前記ベースバンドリソース部との確認応答を実行しないで、直ちに、前記呼情報管理処理により管理されている呼情報とモデム状態情報を更新し、呼制御指示に対する応答を前記無線ネットワーク制御装置に返送する処理と、
をコンピュータに実行させることを特徴とする。
【００２３】
さらに、本発明の移動通信システムの呼管理制御プログラムは、
セクタに位置する複数移動局と、複数モデムを有するベースバンドリソース部を使用して前記複数移動局に複数の通信サービスを提供する無線基地局装置と、前記無線基地局装置を通信ネットワークに接続制御する無線ネットワーク制御装置とを有して構成される移動通信システムの呼管理制御する呼管理制御プログラムであって、
前記無線ネットワーク制御装置からの呼制御指示を受けて、前記ベースバンドリソース部の複数モデムの各々に、ユーザチャネルと制御チャネルとのうちのいずれかのチャネルを設定する処理と、
前記ベースバンドリソース部の複数モデムを監視し、モデムの障害を検知し、障害通知を送るとともに、モデムの復旧を検知し、復旧通知を送る保守監視処理と、
接続する呼に関する呼情報とモデム状態情報と各チャネルの優先順位とを記憶して管理する呼情報管理処理と、
前記保守監視処理による障害通知を受けて、呼情報管理処理により管理されている呼情報とモデム状態情報を参照して、空きモデムがあるかを検索する空きモデム検索処理と、
前記保守監視処理による障害通知を受けて、呼情報管理処理により管理されている呼情報とモデム状態情報を参照して、障害のモデムに設定されているチャネルを認識する設定チャネル認識処理と、
前記設定チャネル認識処理により、障害のモデムに設定されているチャネルは制御チャネルであることが認識されるとき、そして、前記空きモデム検索処理により、空きモデムが検索されないとき、ユーザチャネルが既に設定されているモデムを選び、この選ばれたモデムに既に設定されているユーザチャネルを、障害呼管理テーブルに登録し、選ばれたモデムを空き状態にして空きモデムを生成し、この空きモデムに当該制御チャネルを再設定する処理と、
前記設定チャネル認識処理により、障害のモデムに設定されているチャネルはユーザチャネルであることが認識され、そして、前記空きモデム検索認識処理により、空きモデムが検索されないとき、当該ユーザチャネルの優先順位より低い優先順位のユーザチャネルが既に設定されているモデムを選び、選ばれたモデムに既に設定されている低い優先順位のユーザチャネルを、障害呼管理テーブルに登録し、選ばれたモデムを空き状態にして空きモデムを生成し、この空きモデムに当該ユーザチャネルを再設定する処理と、
前記保守監視認識処理による復旧通知を受けて、障害呼管理テーブルに登録されているチャネルを、優先順位に基づいて、復旧したモデムに再設定する処理と、前記無線ネットワーク制御装置から、障害呼管理テーブルに登録されているチャネルに関連する呼に対しての呼解放のための呼制御指示を受けて、前記ベースバンドリソース部との確認応答を実行しないで、直ちに、前記呼情報管理ステップにより管理されている呼情報とモデム状態情報を更新し、呼制御指示に対する応答を前記無線ネットワーク制御装置に返送する処理と、
をコンピュータに実行させることを特徴とする。
【００２４】
【発明の実施の形態】
次に、本発明の実施の形態について図面を参照して詳細に説明する。
【００２５】
図１は、本発明の実施形態である移動通信システムの構成ブロック図で、図２は、障害呼管理テーブルの構成図である。
【００２６】
図１を参照して、本発明の移動通信システムは、通信端末１と、通信端末１を接続する公衆回線網２と、無線ネットワーク制御装置３と、無線基地局装置４と、セクタに位置し無線基地局装置４と無線で通信する移動局１３とを有して構成される。
【００２７】
無線ネットワーク制御装置３は、公衆回線網２と無線基地局装置４と間の通信制御をするとともに、公衆回線網２を介して、通信端末１からの要求を受信し、無線基地局装置４に対して当該呼を制御する指示を送る。
【００２８】
無線基地局装置４は、無線ネットワーク制御装置３とインタフェースする伝送路インタフェース部５と、呼処理制御部６と、保守監視制御部７と、障害呼管理テーブル８１を有する呼情報管理部８と、ベースバンドリソース部９と、移動局１３と無線信号を送受信する無線送受信部１０と、移動局１３と電波を送受信するアンテナ部１１と、呼管理制御をコンピュータに実行させる呼管理制御プログラムを記憶するプログラム記憶部１２とを有して構成される。
【００２９】
ベースバンドリソース部９は、複数のカード１００−１、〜、１００−ｎを有して構成される。複数のカード１００−１、〜、１００−ｎの各々は、複数のモデム９０−１、〜、９０−ｍを有して構成される。
【００３０】
モデム９０は、呼処理制御部６からの指示により、制御チャネルとして動作するよう設定されると、呼を制御するための制御信号を変復調し、無線送受信部１０とアンテナ部１１を介して、移動局１３と通信する。また、モデム９０は、呼処理制御部６からの指示により、ユーザチャネルとして動作するよう設定されると、パケットデータ通信のためのパケットデータ信号とＩＳＤＮ通信のためのＩＳＤＮ信号と音声通信のための音声信号との内の、いずれかの呼信号を変復調し、無線送受信部１０とアンテナ部１１を介して、移動局１３と通信する。
【００３１】
以下、区別の必要に応じて、パケットデータ通信のためのパケットデータ信号を運ぶユーザチャネルをパケットユーザチャネルと称し、ＩＳＤＮ通信のためのＩＳＤＮ信号を運ぶユーザチャネルをＩＳＤＮユーザチャネルと称し、音声通信のための音声信号を運ぶユーザチャネルを音声ユーザチャネルと称する。
【００３２】
呼情報管理部８は、制御される呼に関する呼情報を管理する呼情報管理テーブルを有する。呼情報は、呼が設定されているカードのカード番号と、呼のサービス種別および優先順位と、呼が使用しているモデムの数と、モデムごとに、設定されているチャンネル名、すなわち、ユーザチャネルか制御チャネル、と、モデムの状態、すなわち、障害状態か空き状態、とを含む情報である。呼処理制御部６が呼を制御するたびに、呼情報管理テーブルの呼情報は、更新される。
【００３３】
また、呼情報管理部８は、障害が発生したモデムに設定されているユーザチャネルと制御チャネルの内で、他のモデムに再設定できないユーザチャネルと制御チャネルとを登録する障害呼管理テーブル８１を有する。
【００３４】
障害呼管理テーブル８１は、呼処理制御部６によって読み出しおよび書き込みが行われる。障害呼管理テーブル８１は、図２に示されるように、チャネルの種別および優先順位と、当該チャネルを使用する呼が所属するセクタのセクタ番号と、当該チャネルが設定されていたモデムの数を登録する。優先順位は、呼処理制御部６が、障害呼管理テーブル８１に登録されているチャネルをモデムに再設定するときに使う順位である。制御チャネルは最優先順位が付与され、パケットユーザチャネルは次優先順位が付与され、ＩＳＤＮユーザチャネルは次次優先順位が付与され、そして、音声ユーザチャネルは最低順位が付与される。
【００３５】
保守監視制御部７は、複数のカード１００−１、〜、１００−ｎのカード状態を監視し、カードに障害が発生すると、すなわち、モデムに障害が発生すると、障害が発生した旨を通知する障害発生通知を呼処理制御部６に送る。また、保守監視制御部７は、カード状態を監視し、障害発生後のカードが再起動することにより復旧した場合や、新たにカードが増設された場合、呼処理制御部６に対して、復旧通知、あるいは、増設通知を呼処理制御部６に送る。
【００３６】
呼処理制御部６は、無線ネットワーク制御装置３からの呼接続指示に従い、モデムにユーザチャネルと制御チャネルとを設定する。また、呼処理制御部６は、無線ネットワーク制御装置３からの呼解放指示に従い、設定されているユーザチャネルと制御チャネルを解放する。
また、呼処理制御部６は、保守監視制御部７から障害発生通知を受けて、ベースバンドリソース部９のカード１００−１、〜、１００−ｎ内で空きモデムを探し、空きモデムがある場合、この空きモデムに、障害が発生したモデムに設定されているユーザチャネルあるいは制御チャネルを、優先順位に従って、再設定し、一方、空きモデムがない場合は、当該ユーザチャネルあるいは制御チャネルを障害呼管理テーブル８１に登録する。
【００３７】
また、呼処理制御部６は、ベースバンドリソース部９のカード１００−１、〜、１００−ｎ内に空きモデムが発生した時点で、障害呼管理テーブル８１に登録されているユーザチャネルあるいは制御チャネルを、優先順位に従って、空きモデムに再設定し、当該呼を当該カードに再設定する。
【００３８】
また、呼処理制御部６は、無線ネットワーク制御装置３から呼解放をはじめとする各種の呼制御指示を受けると、当該呼が、障害呼管理テーブル８１に登録されているユーザチャネルあるいは制御チャネルに関する呼であるとき、障害が発生したカードとの指示のやり取りを確認するために通常行っている確認型シーケンスを実施せずに、呼情報管理部８の呼情報管理テーブルの呼情報を更新する。
【００３９】
次に、本発明の実施形態の動作について図面を参照して詳細に説明する。
【００４０】
図３は、カードに障害が発生した際の呼制御に関するフローチャートで、図４は、カードに空きモデムが発生した際の呼制御に関するフローチャートで、図５は、無線ネットワーク制御装置から呼制御が行われる際のフローチャートで、図６は、初期におけるカードの設定状態図で、図６（ａ）は，初期において、制御チャネルとユーザチャネルがどのカードに設定されているかを示す初期設定状態図で、図６（ｂ）は，初期における障害呼管理テーブルの内容を示す図であり、図７は、障害時におけるカードの設定状態図で、図７（ａ）は，障害時において、制御チャネルとユーザチャネルが、どのカードの、どのモデムに設定されているかを示す障害時設定状態図で、図７（ｂ）は，障害時における障害呼管理テーブルの内容を示す図であり、図８は、復旧時におけるカードの設定状態図で、図８（ａ）は，復旧時において、制御チャネルとユーザチャネルが、どのカードの、どのモデムに設定されているかを示す復旧時設定状態図で、図７（ｂ）は、復旧時における障害呼管理テーブルの内容を示す図である。
【００４１】
図１から図８までを参照して動作を説明する。
【００４２】
説明の便宜上、無線基地局装置４内のベースバンドリソース部９は、図６（ａ）に示されるように、カード番号Ｃ１のカード１００―１と、カード番号Ｃ２のカード１００―２とカード番号Ｃ３のカード１００―３とカード番号Ｃ４のカード１００―４とから構成され、１カード当たり１２台のモデム９０（モデム番号＃１、〜、＃１２）を保有するとする。
また、無線基地局装置４は、３セクタ（セクタ番号＃１、＃２、＃３）で構成され、制御チャネルはセクタ毎に設定され、制御チャネルに使用されるモデムの使用モデムは４台である。ユーザチャネルのサービス種別は、音声通信、ＩＳＤＮ通信、パケットデータ通信の３種類であり、音声通信のための１ユーザチャンネルに使用されるモデムの使用モデム数は、１台で、ＩＳＤＮ通信のための１ユーザチャンネルに使用されるモデムの使用モデム数は、４台で、パケットデータ通信のための１ユーザチャンネルに使用されるモデムの使用モデム数は、８台であるとする。
【００４３】
＜設定動作＞
制御チャネルとユーザチャネルの設定動作を、図１、図２を参照して説明する。
【００４４】
無線ネットワーク制御装置３は、公衆回線網２を介して、通信端末１からの呼接続要求を受信し、無線基地局装置４に対して当該呼の接続指示を送る。
【００４５】
無線基地局装置４の呼処理制御部６は、無線ネットワーク制御装置３からの呼接続要求に従い、当該呼に関する制御チャネルとユザーチャネルを、カード１００内のモデム９０に設定する。
【００４６】
具体的には、呼処理制御部６は、初期設定状態として、図６（ａ）に示されるように、カード番号Ｃ１のカード１００―１内の、モデム番号＃１、〜、＃４の４台のモデム９０を使用して、セクタ番号＃１のセクタ用の制御チャネルを設定し、モデム番号＃５、〜、＃８の４台のモデム９０を使用して、セクタ番号＃２のセクタ用の制御チャネルを設定し、モデム番号＃９、〜、＃１２の４台のモデム９０を使用して、セクタ番号＃３のセクタ用の制御チャネルを設定し、そして、カード番号Ｃ２のカード１００―２内の、モデム番号＃１、〜、＃４の４台のモデム９０の各々に、セクタ番号＃１のセクタでの音声通信のための音声ユーザチャネルを１チャネルづつ設定し、モデム番号＃５、〜、＃８の４台のモデム９０の各々に、セクタ番号＃２のセクタでの音声通信のための音声ユーザチャネルを１チャネルづつ設定し、モデム番号＃９、〜、＃１２の４台のモデム９０の各々に、セクタ番号＃３のセクタでの音声通信のための音声ユーザチャネルを１チャネルづつ設定し、そして、カード番号Ｃ３のカード１００―３内の、モデム番号＃１と＃２の２台のモデム９０の各々に、セクタ番号＃１のセクタでの音声通信のための音声ユーザチャネルを１チャネルづつ設定し、モデム番号＃３と＃４の２台のモデム９０の各々に、セクタ番号＃２のセクタでの音声通信のための音声ユーザチャネルを１チャネルづつ設定し、モデム番号＃５、〜、＃８の４台のモデム９０を使用して、セクタ番号＃１のセクタでのＩＳＤＮ通信のためのＩＳＤＮユーザチャネルを１チャネル設定し、モデム番号＃９、〜、＃１２の４台のモデム９０を使用して、セクタ番号＃３のセクタでのＩＳＤＮ通信のためのＩＳＤＮユーザチャネルを１チャネル設定し、そして、カード番号Ｃ４のカード１００―４内の、モデム番号＃１、〜、＃８までの８台のモデム９０を使用して、セクタ番号＃３のセクタでのパケットデータ通信のためのパケットユーザチャネルを１チャネル設定し、モデム番号＃９、〜、＃１２までのモデム９０には、なにも設定していないで空き状態に設定する。
【００４７】
そして、呼処理制御部６は、設定の都度、これらの情報で、呼情報管理部８の呼情報管理テーブルを更新する。
【００４８】
＜再設定動作＞
カードに障害が発生するとき、制御チャネルとユーザチャネルの再設定動作を、図３を主体に、図１、図２、図６、図７を併せ参照して説明する。
【００４９】
このようにして、制御チャネルとユーザチャネルがカード１００内のモデム９０に設定されている無線基地局装置４が、通信している最中に、カード番号Ｃ１のカード１００―１に、障害が発生する。
【００５０】
保守監視制御部７は、カード１００−１、〜、１００−３のカード状態を常に監視し、カード番号Ｃ１のカード１００―１に障害が発生したことを検出すると、カード番号Ｃ１のカード１００―１に障害が発生した旨を通知する障害発生通知を呼処理制御部６に送る（図３のステップＳ２０１）。
【００５１】
呼処理制御部６は、保守監視制御部７から障害発生通知を受けると、呼情報管理部８の呼情報管理テーブルを検索し、カード番号Ｃ１のカード１００―１のモデム９０に、制御チャネルあるいはユーザチャネルが設定されているかを調べる（ステップＳ２０２）。
【００５２】
調べた結果、制御チャネルとユーザチャネルのうちのいずれかが設定されているとき（ステップＳ２０２でハイ）、呼処理制御部６は、呼情報管理部８の呼情報管理テーブルを使い、使用されていないモデム、すなわち、空きモデム、があるかを調べる（ステップＳ２０３）。
【００５３】
調べた結果、空きモデムがあるとき（ステップＳ２０３でハイ）、呼処理制御部６は、この空きモデムに、優先順位に従って、当該チャネルを再設定する（ステップＳ２１２）。
【００５４】
この例では、調べた結果、空きモデムがあるとき、（ここでは、カード番号Ｃ４のカード１００―４内の、モデム番号＃９、〜、＃１２までのモデム９０が、空きモデムである）（ステップＳ２０３でハイ）、障害を発生したカード番号Ｃ１のカード１００―１内の、若いモデム番号のモデム９０、すなわち、モデム番号＃１、〜、＃４までのモデム９０、に設定されているセクタ番号＃１のセクタ用の制御チャネルを、カード番号Ｃ４のカード１００―４内の、モデム番号＃９、〜、＃１２までの空きモデムに優先して再設定する（ステップＳ２１２）。
【００５５】
つぎに、呼処理制御部６は、障害を発生したカード番号Ｃ１のカード１００―１内のモデム９０に設定されている制御チャネルの全てが、空きモデムに再設定されたかどうかを調べる（ステップＳ２１３）。
【００５６】
調べた結果、障害を発生したカード番号Ｃ１のカード１００―１内のモデム９０に、まだ、セクタ番号＃２と＃３とのセクタ用の制御チャネルが設定されていて、全ての制御チャネルが空きモデムに再設定されていないことを認識すると（ステップＳ２１３でイイエ）、呼処理制御部６は、再びステップＳ２０３に戻り、呼情報管理部８の呼情報管理テーブルを使い、空きモデムがあるかを調べる（ステップＳ２０３）。
【００５７】
調べた結果、空きモデムがないとき（ステップＳ２０３でイイエ）、呼処理制御部６は、再設定されていないのは、制御チャネルであるかどうかを調べる（ステップＳ２０４）。
【００５８】
調べた結果、再設定されていないのは、セクタ番号＃２と＃３とのセクタ用の制御チャネルであることを認識すると（ステップＳ２０４でハイ）、呼処理制御部６は、他のカードに、当該セクタ番号のセクタのユーザチャネルが設定されているかを調べる（ステップＳ２０９）。すなわち、呼処理制御部６は、カード番号Ｃ２のカード１００―２とカード番号Ｃ３のカード１００―３とカード番号Ｃ４のカード１００―４に、セクタ番号＃２と＃３のユーザチャネルが設定されているかを調べる（ステップＳ２０９）。
【００５９】
調べた結果、セクタ番号＃２と＃３のユーザチャネルが、他のカードに設定されていることを認識すると（ステップＳ２０９のハイ）、すなわち、カード番号Ｃ２のカード１００―２内の、モデム番号＃５、〜、＃８の４台のモデム９０の各々に、セクタ番号＃２のセクタでの音声通信のための音声ユーザチャネルが１チャネルづつ設定され、モデム番号＃９、〜、＃１２の４台のモデム９０の各々に、セクタ番号＃３のセクタでの音声通信のための音声ユーザチャネルが１チャネルづつ設定され、そして、カード番号Ｃ３のカード１００―３内の、モデム番号＃９、〜、＃１２の４台のモデム９０に、セクタ番号＃３のセクタでのＩＳＤＮ通信のためのＩＳＤＮユーザチャネルが１チャネル設定され、カード番号Ｃ４のカード１００―３内の、モデム番号＃９、〜、＃１２の４台のモデム９０に、セクタ番号＃４のセクタでのパケットデータ通信のためのパケットユーザチャネルが１チャネル設定されていることを認識すると（ステップＳ２０９のハイ）、呼処理制御部６は、セクタ番号＃２と＃３のセクタ用の制御チャネルを設定するのに必要な数のモデムを、ここでは８台のモデムを、当該制御チャネルが所属するセクタのユーザチャネルが既に設定されているモデムの内から選ぶ。ここでは、呼処理制御部６は、必要な数のモデムを、セクタ番号＃２と＃３のユーザチャネルが既に設定されているモデムの内から選ぶ。モデムを選ぶとき、呼処理制御部６は、カード番号とモデム番号の若い番号から昇順で、しかも、優先順位のより低いユーザチャネルが設定されているモデムから、優先順位のより高いユーザチャネルが設定されているモデムまでを順番に、必要な数だけのモデムを選ぶ。すなわち、ここでは、音声通信のための音声ユーザチャネルの優先順位は、最低順位であるため、カード番号Ｃ２のカード１００―２内の、音声通信のための音声ユーザチャネルが設定されているモデム番号＃５、〜、＃１２までの８台のモデム９０を選ぶ。そして、呼処理制御部６は、選ばれたモデム番号＃５、〜、＃１２までのモデム９０に設定されている音声ユーザチャネル、すなわち、セクタ番号＃２のセクタでの音声通信のための４個の音声ユーザチャネルとセクタ番号＃３のセクタでの音声通信のための４個の音声ユーザチャネルとを、図７（ｂ）に示されるように、障害呼管理テーブル８１に登録し（ステップＳ２１５）、選ばれたモデム番号＃５、〜、＃１２までのモデム９０を空きモデムにする。このとき、障害呼管理テーブル８１に登録された音声ユーザチャネルに関する呼は、障害呼となる。
【００６０】
つぎに、呼処理制御部６は、これらの空きモデムに、すなわち、カード番号Ｃ２のカード１００―２内のモデム番号＃５、〜、＃１２までのモデム９０に、セクタ番号＃２と＃３のセクタ用の制御チャネルを再設定する（ステップＳ２１７）。
【００６１】
そして、呼処理制御部６は、以上の制御により設定された情報で、呼情報管理部８の呼情報管理テーブルを更新する。
【００６２】
呼処理制御部６は、以上の制御により、図７（ａ）に示されるように、制御チャネルとユーザチャネルとをカード１００内のモデム９０に割り当て再設定する。
【００６３】
一方、ステップＳ２０９において、他のカードに、当該セクタ番号のセクタのユーザチャネルが設定されているかを調べた結果、設定されていないことを認識すると（ステップＳ２０９でイイエ）、呼処理制御部６は、今度は、セクタ番号に無関係に、他のカードにユーザチャネルが設定されているかを調べる（ステップＳ２１０）。
【００６４】
調べた結果、他のカードにユーザチャネルが設定されていることを認識すると（ステップＳ２１０でハイ）、呼処理制御部６は、セクタ番号＃２と＃３とのセクタ用の制御チャネルを設定するのに必要な数のモデムを、ここでは８台のモデムを、他のカードに所属していて、ユーザチャネルが既に設定されているモデムの内から選ぶ。モデムを選ぶとき、呼処理制御部６は、カード番号とモデム番号の若い番号から昇順で、しかも、優先順位のより低いユーザチャネルが設定されているモデムから、優先順位のより高いユーザチャネルが設定されているモデムまでを順番に、必要な数だけのモデムを選ぶ。そして、呼処理制御部６は、選ばれたモデムに設定されているユーザチャネルを障害呼管理テーブル８１に登録し（ステップＳ２１６）、選ばれたモデムを空きモデムにする。このとき、障害呼管理テーブル８１に登録されたユーザチャネルに関する呼は、障害呼となる。
【００６５】
つぎに、呼処理制御部６は、これらの空きモデムに当該セクタ番号のセクタ用の制御チャネルを再設定する（ステップＳ２１７）。
【００６６】
そして、呼処理制御部６は、以上の制御により設定された情報で、呼情報管理部８の呼情報管理テーブルを更新する。
【００６７】
一方、ステップＳ２１０において、他のカードにユーザチャネルが設定されているかを調べた結果、他のカードにユーザチャネルが設定されていないと認識すると（ステップＳ２１０でイイエ）、呼処理制御部６は、当該制御チャネルを、障害呼管理テーブル８１に登録する（ステップＳ２１１）。このとき、障害呼管理テーブル８１に登録された当該制御チャネルに関する呼は、障害呼となる。
【００６８】
一方、ステップＳ２０４において、空きモデムがないため再設定されていないのは、制御チャネルであるかどうかを調べた結果、再設定されていないのは、制御チャネルでなく、ユーザチャネルであることを認識すると（ステップＳ２０４でイイエ）、呼処理制御部６は、このユーザチャネルの優先順位を調べ（ステップＳ２０５）、このユーザチャネルが優先されるユーザチャネルでないとき（ステップＳ２０５のイイエ）、このユーザチャネルを障害呼管理テーブル８１に登録する（ステップＳ２０８）。このとき、障害呼管理テーブル８１に登録されたユーザチャネルに関する呼は、障害呼となる。
【００６９】
一方、ステップＳ２０５において、このユーザチャネルが優先順位の高いユーザチャネルであるとき（ステップＳ２０５のハイ）、呼処理制御部６は、呼処理制御部６は、この優先順位の高いユーザチャネルを設定するのに必要な数のモデムを、優先順位の低いユーザチャネルが既に設定されているモデムの内から選ぶ。そして、呼処理制御部６は、選ばれたモデムに設定されている、優先順位の低いユーザチャネルを障害呼管理テーブル８１に登録し（ステップＳ２１５）、選ばれたモデムを空きモデムにする。このとき、障害呼管理テーブル８１に登録された優先順位の低いユーザチャネルに関する呼は、障害呼となる。
【００７０】
つぎに、呼処理制御部６は、この空きモデムに、優先順位の高いユーザチャネルを再設定する（ステップＳ２０７）。
【００７１】
そして、呼処理制御部６は、以上の制御により設定された情報で、呼情報管理部８の呼情報管理テーブルを更新する。
【００７２】
＜復旧動作＞
次に、障害を発生したカードが復旧するときの動作を、図４を主体に、図１、図２、図７、図８を併せ参照して説明する。
【００７３】
カード番号Ｃ１のカード１００―１の障害により、図７に示されるように、制御チャネルとユーザチャネルとが再設定されて通信しているベースバンドリソース部９において、カード番号Ｃ１のカード１００―１が、障害から復旧する。
【００７４】
保守監視制御部７は、カードの復旧を、常に、監視し、カード番号Ｃ１のカード１００―１が障害から復旧するのを検出すると、カード番号Ｃ１のカード１００―１が復旧した旨を通知する復旧通知を呼処理制御部６に送る。
【００７５】
呼処理制御部６は、保守監視制御部７から復旧通知を受けると、カード番号Ｃ１のカード１００―１内の、全てのモデムを空きモデムにする（図４のステップＳ３０１）。このような空きモデムは、カードの復旧時に加えて、呼の解放による時、カードの増設の時にも、発生する。
【００７６】
続いて、呼処理制御部６は、図７（ｂ）の障害呼管理テーブル８１に制御チャネルとユーザチャネルのうちのいずれかのチャネルが登録されているかを調べる（ステップＳ３０２）。
【００７７】
調べた結果、図７（ｂ）の障害呼管理テーブル８１にいずれかのチャネルが登録されているとき（ステップＳ３０２でハイ）、さらに、呼処理制御部６は、制御チャネルが障害呼管理テーブル８１に登録されているかを調べる（ステップＳ３０３）。
【００７８】
調べた結果、登録されているのは、制御チャネルではなく、ユーザチャネルであることを認識すると（ステップＳ３０３でイイエ）、呼処理制御部６は、空きモデムに設定できるユーザチャネルの内の、より高い優先順位のユーザチャネルを、空きモデムに再設定する（ステップＳ３０４）。
【００７９】
すなわち、ここでは、ステップＳ３０３で、呼処理制御部６が、図７（ｂ）の障害呼管理テーブル８１を調べた結果、登録されているのは、制御チャネルではなく、セクタ番号＃２のセクタでの音声通信のための４個の音声ユーザチャネルとセクタ番号＃３のセクタでの音声通信のための４個の音声ユーザチャネルであることを認識すると（ステップＳ３０３でイイエ）、呼処理制御部６は、図８（ｂ）に示されるように、カード番号Ｃ１のカード１００―１内の、モデム番号＃１、〜、＃４の４台のモデム９０の各々に、セクタ番号＃２のセクタでの音声通信のための音声ユーザチャネルを１チャネルづつ再設定し、モデム番号＃５、〜、＃８の４台のモデム９０の各々に、セクタ番号＃３のセクタでの音声通信のための音声ユーザチャネルを１チャネルづつ再設定する（ステップＳ３０４）。
【００８０】
その後、呼処理制御部６は、障害呼管理テーブル８１を更新する。すなわち、呼処理制御部６は、図８（ｂ）に示されるように、障害呼管理テーブル８１に登録されていたユーザチャネルの内で、空きモデムに再設定されたユーザチャネルを、障害呼管理テーブル８１から削除する。
【００８１】
そして、呼処理制御部６は、以上の制御により設定された情報で、呼情報管理部８の呼情報管理テーブルを更新する。
【００８２】
一方、ステップＳ３０３において、制御チャネルが障害呼管理テーブル８１に登録されているかを調べた結果、制御チャネルが登録されていることを認識すると（ステップＳ３０３でハイ）、呼処理制御部６は、この制御チャネルを再設定するのに必要な数の空きモデムがあるかを調べる（ステップＳ３０５）。
【００８３】
調べた結果、必要な数の空きモデムがあるとき（ステップＳ３０５でハイ）、呼処理制御部６は、この制御チャネルを空きモデムに再設定する（ステップＳ３０６）。
【００８４】
一方、ステップＳ３０５において、制御チャネルを再設定するのに必要な数の空きモデムがあるかを調べた結果、必要な数の空きモデムがないとき（ステップＳ３０５でイイエ）、この制御チャネルが所属するセクタのユーザチャネルが設定されているモデムを、空きモデムとすれば、必要な数の空きモデムを確保することができるかを調べる（ステップＳ３０７）。
【００８５】
調べた結果、必要な数の空きモデムを確保できるとき（ステップＳ３０７でハイ）、呼処理制御部６は、制御チャネルを再設定するのに必要な数のモデムを、ユーザチャネルが既に設定されているモデムの内から選ぶ。そして、呼処理制御部６は、選ばれたモデムに設定されているユーザチャネルを障害呼管理テーブル８１に登録し（ステップＳ３１０）、選ばれたモデムを空きモデムにする。このとき、障害呼管理テーブル８１に登録されたユーザチャネルに関する呼は、障害呼となる。
【００８６】
しかる後、呼処理制御部６は、制御チャネルを空きモデムに再設定する（ステップＳ３１１）。
【００８７】
一方、ステップＳ３０７において、この制御チャネルが所属するセクタのユーザチャネルが設定されているモデムを、空きモデムとすれば、必要な数の空きモデムを確保することができるかを調べた結果、必要な数の空きモデムを確保できないとき（ステップＳ３０７でイイエ）、呼処理制御部６は、さらに、この制御チャネルが所属するセクタに限定せず、他のセクタのユーザチャネルが設定されているモデムを、空きモデムとすれば、必要な数の空きモデムを確保することができるかを調べる（ステップＳ３０８）。
【００８８】
調べた結果、必要な数の空きモデムを確保できるとき（ステップＳ３０８でハイ）、呼処理制御部６は、制御チャネルを再設定するのに必要な数のモデムを、ユーザチャネルが既に設定されているモデムの内から選ぶ。そして、呼処理制御部６は、選ばれたモデムに設定されているユーザチャネルを障害呼管理テーブル８１に登録し（ステップＳ３０９）、選ばれたモデムを空きモデムにする。このとき、障害呼管理テーブル８１に登録されたユーザチャネルに関する呼は、障害呼となる。
【００８９】
しかる後、呼処理制御部６は、制御チャネルを空きモデムに再設定する（ステップＳ３１１）。
【００９０】
以上のようにして、呼処理制御部６は、障害を発生したカード１００が復旧するとき、カード１００のモデム９０に、制御チャネルとユーザチャネルを、優先順位に従って、再設定する。
【００９１】
＜障害呼に対する制御＞
障害呼管理テーブル８１に登録されている制御チャネルあるいはユーザチャネルに関連する呼は、障害呼であり、この障害呼に対する無線ネットワーク制御装置３からの制御動作を、図５を主体に、図１、図２、図７とを参照して説明する。ここでは、説明の便宜上、図７（ａ）に示されるように、ベースバンドリソース部９が設定され、図７（ｂ）に示されるように、障害呼管理テーブル８１に音声ユーザチャネルが登録されているときの、呼の解放制御を例にして説明する。
【００９２】
まず、無線ネットワーク制御装置３は、無線基地局装置４に対して、呼の解放指示を送る。
【００９３】
無線基地局装置４の呼処理制御部６は、無線ネットワーク制御装置３から呼の解放指示を受けると（図５のステップＳ５０１）、当該呼に関する制御チャネルかユーザチャネルが障害呼管理テーブル８１に登録されているかを調べる（ステップＳ５０２）。
【００９４】
調べた結果、当該呼に関する制御チャネルかユーザチャネルが登録されている場合（ステップＳ５０２のハイ）、呼処理制御部６は、後に述べる確認型シーケンス５２０を行わずに、直接に、呼情報管理部８が管理している呼情報管理テーブルから、当該呼に関する全ての呼情報を削除、呼情報管理テーブルを更新し（ステップＳ５０５）て、呼を解放する。
【００９５】
続いて、呼処理制御部６は、呼の解放が成功した旨の応答を無線ネットワーク制御装置３に返送する（ステップＳ５０６）。
【００９６】
一方、ステップＳ５０２において、当該呼に関する制御チャネルかユーザチャネルが障害呼管理テーブル８１に登録されているかを調べた結果、登録されていない場合（ステップＳ５０２のイイエ）、呼処理制御部６は、次の確認型シーケンス５２０に入る。
【００９７】
確認型シーケンス５２０において、呼処理制御部６は、無線ネットワーク制御装置３から、呼の解放要求を受信すると、呼が割り当てられているカード１００に対して呼を解放するよう指示を送る（ステップＳ５０３）。
【００９８】
そして、呼処理制御部６は、カードからの応答を待ち合わせるためのタイマを開始し（ステップＳ５０４）、タイマのタイムアウトを、常に、監視し（ステップＳ５１１）、カードからの応答を待つ。タイムアウトが発生すると（ステップＳ５１１でハイ）、呼処理制御部６は、呼の解放制御が失敗である旨の応答を無線ネットワーク制御装置３に返送する（ステップＳ５１２）。
【００９９】
一方、タイムアウトが発生する前に（ステップＳ５１１でイイエ）、呼処理制御部６は、カードから呼を解放した旨の応答を受信すると（ステップＳ５０７）、タイマを停止し（ステップＳ５０８）、呼情報管理部８が管理している呼情報管理テーブルから、当該呼に関する全ての呼情報を削除、更新する（ステップＳ５０９）。そして、呼処理制御部６は、呼の解放制御が成功である旨の応答を無線ネットワーク制御装置３に返送する（ステップＳ５１０）。
【０１００】
以上の制御は、呼の接続制御についても、図５に示されるフローチャートに基づいて実行される。
【０１０１】
以上のように、呼処理制御部６は、障害呼管理テーブル８１に登録されているチャネルに関する呼を、確認型シーケンス５２０で制御するのでなく、直接に、呼情報管理部８が管理している、当該呼に関する全ての呼情報を更新して、制御し、そして、その制御結果を無線ネットワーク制御装置３へ報告しているので、無線ネットワーク制御装置３からの呼の制御指示に対して、呼処理制御部６は、素早いレスポンスで呼を制御することができる。
【０１０２】
【発明の効果】
以上説明したように、本発明は、カード障害時、どのカードにも設定できない制御チャネルとユーザチャネルを登録する障害呼管理テーブルを有し、空きモデムが発生次第、障害呼管理テーブルに登録されている制御チャネルとユーザチャネルを、空きモデムに再設定し、呼を再設定できるよう構成されているので、通信断を防ぐという効果を得ることができる。
【０１０３】
また、本発明は、カード障害時および空きモデム発生時に、制御チャネルを優先的に再設定するよう構成されているので、当該制御チャネルが制御を行っていたセクタ内のユーザチャネルがすべて通信断となることを防ぐ効果を得ることができる。
【０１０４】
さらに、本発明は、ユーザチャネルのサービス種別を優先順位付けすることにより、カード障害時および空きモデム発生時に、優先順位の高いサービス種別の呼を継続するよう構成されているので、サービス品質が向上するという効果を得ることができる。
【０１０５】
また、本発明は、障害呼管理テーブルに登録されている制御チャネルとユーザチャネルに関する呼に対して無線ネットワーク制御装置から制御が行われた場合、呼情報管理部で管理されている、この呼に関する呼情報を、更新するだけで、無線ネットワーク制御装置に応答を返すよう構成されているので、無線ネットワーク制御装置に迅速なレスポンスが出来、迅速に呼制御することができるという効果がある。
【図面の簡単な説明】
【図１】本発明の実施形態の構成ブロック図である。
【図２】障害呼管理テーブルの構成図である。
【図３】カードに障害が発生した際の呼制御に関するフローチャートである。
【図４】カードに空きモデムが発生した際の呼制御に関するフローチャートである。
【図５】無線ネットワーク制御装置から呼制御が行われる際のフローチャートである。
【図６】初期におけるカードの設定状態図である。
【図７】障害時におけるカードの設定状態図である。
【図８】復旧時におけるカードの設定状態図である。
【符号の説明】
１　　通信端末
２　　公衆回線網
３　　無線ネットワーク制御装置
４　　無線基地局装置
５　　伝送路インタフェース部
６　　呼処理制御部
７　　保守監視制御部
８　　呼情報管理部
８１　　障害呼管理テーブル
９　　ベースバンドリソース部
９０　　モデム
１００　　カード
１０　　無線送受信部
１１　　アンテナ部
１２　　プログラム記憶部
１３　　移動局
【図１】
2004064220.tif 000003
【図２】
2004064220.tif 000004
【図３】
2004064220.tif 000005
【図４】
2004064220.tif 000006
【図５】
2004064220.tif 000007
【図６】
2004064220.tif 000008
【図７】
2004064220.tif 000009
【図８】
2004064220.tif 000010